(57)【要約】      （修正有）【課題】元の地図に対応する新たな地図を取得して、元の地図の縮尺及び向きと同じ縮尺及び向きで前記新たな地図を提示することが可能な地図提示装置及び地図提示方法を提供すること。【解決手段】第１取得処理部は、第１地図Ｍ１を含む入力画像データを取得する。第２取得処理部は、第１地図Ｍ１の範囲を少なくとも含む範囲の第２地図Ｍ２を示す第２画像データを地図データから取得する。画像処理部は、前記第２画像データにおける第２地図Ｍ２の縮尺及び向きを第１地図Ｍ１と同じ縮尺及び向きに変更可能である。提示処理部は、画像処理部により縮尺及び向きが変更された後の第２地図Ｍ２を提示する。【選択図】図７
2019045603.tif 000002
【特許請求の範囲】
【請求項１】
第１地図を含む第１画像データを取得する第１取得処理部と、
前記第１地図の範囲を少なくとも含む範囲の第２地図を示す第２画像データを予め登録された地図データから取得する第２取得処理部と、
前記第２画像データにおける前記第２地図の縮尺及び向きを前記第１地図と同じ縮尺及び向きに変更可能な画像処理部と、
前記画像処理部により縮尺及び向きが変更された後の前記第２地図を提示する提示処理部と、
を備える地図提示装置。
【請求項２】
前記画像処理部は、前記第１地図に示されている少なくとも２つの地点に関する前記第１地図における座標及び前記第２地図における座標に基づいて、前記第２画像データにおける前記第２地図の縮尺及び向きを前記第１地図と同じ縮尺及び向きに変更する、
請求項１に記載の地図提示装置。
【請求項３】
前記画像処理部は、前記第２地図における前記２つの地点のうちの一方の第１地点に対する他方の第２地点の相対位置が、前記第１地図における前記第１地点に対する前記第２地点の相対位置と一致するように、前記第２画像データにおける前記第２地図の縮尺及び向きを変更する、
請求項２に記載の地図提示装置。
【請求項４】
前記画像処理部は、前記第１地図に示されている３つ以上の地点のうちの距離が最も離れた２つの地点に関する前記第１地図における座標及び前記第２地図における座標に基づいて、前記第２画像データにおける前記第２地図の縮尺及び向きを変更する、
請求項２又は請求項３に記載の地図提示装置。
【請求項５】
前記画像処理部は、前記２つの地点のうちの一方の地点が自宅である場合に、予め設定された自宅住所に基づいて前記第２地図における自宅の座標を取得する、
請求項２〜４のいずれかに記載の地図提示装置。
【請求項６】
前記画像処理部は、前記第１地図に示されている地点に対応する前記第２画像データにおける前記第２地図上の地点に対して強調処理を行う、
請求項１〜５のいずれかに記載の地図提示装置。
【請求項７】
前記第１画像データに含まれる前記第１地図から地点を示す地点文字列を抽出する抽出処理部を更に備え、
前記第２取得処理部は、前記抽出処理部により抽出される前記地点文字列に対応する地点を含む範囲の前記第２地図を示す前記第２画像データを取得する、
請求項１〜６のいずれかに記載の地図提示装置。
【請求項８】
前記第２取得処理部は、前記地点文字列が自宅を示す文字列である場合に、予め設定された自宅住所に基づいて、自宅を含む範囲の前記第２地図を示す前記第２画像データを取得する、
請求項７に記載の地図提示装置。
【請求項９】
前記提示処理部は、前記第１地図の範囲と同じ範囲の前記第２地図を提示する、
請求項１〜８のいずれかに記載の地図提示装置。
【請求項１０】
前記第１地図が、手書地図又は簡略地図である、
請求項１〜９のいずれかに記載の地図提示装置。
【請求項１１】
原稿の画像を読み取る画像読取部と、
シートに画像を形成する画像形成処理を実行する画像形成部とを更に備え、
前記第１取得処理部は、前記画像読取部を通じて前記第１画像データを取得し、
前記画像処理部は、前記第１画像データに含まれる前記第１地図を、縮尺及び向きが変更された後の前記第２地図に置き換え、
前記提示処理部は、前記第１地図が前記第２地図に置き換えられた後の前記第１画像データに基づいて前記画像形成部に画像形成処理を実行させる、
請求項１〜１０のいずれかに記載の地図提示装置。
【請求項１２】
撮像部と、
表示部とを更に備え、
前記第１取得処理部は、前記撮像部を通じて前記第１画像データを取得し、
前記提示処理部は、前記第２地図の縮尺及び向きが変更された後の前記第２画像データに基づいて、前記第２地図を前記表示部に表示させる、
請求項１〜１０のいずれかに記載の地図提示装置。
【請求項１３】
第１地図を含む第１画像データを取得する第１取得ステップと、
前記第１地図の範囲を少なくとも含む範囲の第２地図を示す第２画像データを予め登録された地図データから取得する第２取得ステップと、
前記第２画像データにおける前記第２地図の縮尺及び向きを前記第１地図と同じ縮尺及び向きに変更する画像処理ステップと、
前記画像処理ステップで縮尺及び向きが変更された後の前記第２地図を提示する提示ステップと、
を含む地図提示方法。
【発明の詳細な説明】
【技術分野】
【０００１】
本発明は、地図提示装置及び地図提示方法に関する。
【背景技術】
【０００２】
特定の施設の名称が端末に入力されると、入力された名称に基づいて、当該施設の位置を中心とした所定範囲の地図がサーバーから端末に送信される地図提供システムが知られている（例えば、特許文献１参照）。
【先行技術文献】
【特許文献】
【０００３】
【特許文献１】特開平１０−２８２８７９号公報
【発明の概要】
【発明が解決しようとする課題】
【０００４】
ところで、手書地図又は簡略地図のような地図には必要最小限の情報（例えば、地名、施設、道路などの情報）しか記されていないことが多い。そのため、前記地図を見ているユーザーは、前記地図上では省略されている情報を知りたいことがある。このような場合に、前記地図提供システムを利用して、前記地図（元の地図）に対応する新たな地図を前記サーバーから取得することが考えられる。
【０００５】
しかしながら、前記サーバーから取得される新たな地図の縮尺及び向きは、元の地図の縮尺及び向きとは無関係であるため、元の地図と新たな地図との対応関係が分かりにくくなることがある。
【０００６】
本発明の目的は、元の地図に対応する新たな地図を取得して、元の地図の縮尺及び向きと同じ縮尺及び向きで前記新たな地図を提示することが可能な地図提示装置及び地図提示方法を提供することにある。
【課題を解決するための手段】
【０００７】
本発明の一の局面に係る地図提示装置は、第１取得処理部と、第２取得処理部と、画像処理部と、提示処理部とを備える。前記第１取得処理部は、第１地図を含む第１画像データを取得する。前記第２取得処理部は、前記第１地図の範囲を少なくとも含む範囲の第２地図を示す第２画像データを予め登録された地図データから取得する。前記画像処理部は、前記第２画像データにおける前記第２地図の縮尺及び向きを前記第１地図と同じ縮尺及び向きに変更可能である。前記提示処理部は、前記画像処理部により縮尺及び向きが変更された後の前記第２地図を提示する。
【０００８】
本発明の一の局面に係る地図提示方法は、第１取得ステップと、第２取得ステップと、画像処理ステップと、提示ステップとを含む。前記第１取得ステップでは、第１地図を含む第１画像データが取得される。前記第２取得ステップでは、前記第１地図の範囲を少なくとも含む範囲の第２地図を示す第２画像データが予め登録された地図データから取得される。前記画像処理ステップでは、前記第２画像データにおける前記第２地図の縮尺及び向きが前記第１地図と同じ縮尺及び向きに変更される。前記提示ステップでは、前記画像処理ステップで縮尺及び向きが変更された後の前記第２地図が提示される。
【発明の効果】
【０００９】
本発明によれば、元の地図に対応する新たな地図を取得して、元の地図の縮尺及び向きと同じ縮尺及び向きで前記新たな地図を提示することが可能な地図提示装置及び地図提示方法が提供される。
【図面の簡単な説明】
【００１０】
【図１】図１は、本発明の実施形態に係る画像形成装置のシステム構成を示すブロック図である。
【図２】図２は、本発明の実施形態に係る画像形成装置で用いられる地図データの一例を示す図である。
【図３】図３は、本発明の実施形態に係る画像形成装置で用いられる地点情報の一例を示す図である。
【図４】図４は、本発明の実施形態に係る画像形成装置で用いられる住所情報の一例を示す図である。
【図５】図５は、本発明の実施形態に係る画像形成装置で実行される地図提示処理の手順の一例を示すフローチャートである。
【図６】図６は、本発明の実施形態に係る画像形成装置で用いられる入力画像データの一例を示す図である。
【図７】図７は、本発明の実施形態に係る画像形成装置における地図画像の縮尺及び向きの変更方法について説明するための図である。
【図８】図８は、本発明の実施形態に係る画像形成装置で用いられる出力画像データの一例を示す図である。
【図９】図９は、本発明の実施形態に係る画像形成装置で用いられる出力画像データの一例を示す図である。
【発明を実施するための形態】
【００１１】
以下添付図面を参照しながら、本発明の実施形態について説明し、本発明の理解に供する。なお、以下の実施形態は、本発明を具体化した一例であって、本発明の技術的範囲を限定するものではない。
【００１２】
［画像形成装置の構成］
図１に示されるように、本発明の実施形態に係る画像形成装置１は、操作表示部１０、ＡＤＦ（Auto Document Feeder）１１、画像読取部１２、画像形成部１３、通信Ｉ／Ｆ１４、記憶部１５、及び制御部１６などを備える。具体的に、画像形成装置１は、プリンター機能、スキャナー機能、コピー機能、及びファクシミリ機能などを有する複合機である。画像形成装置１は、本発明の地図提示装置の一例である。なお、本発明は、複合機に限らず、コピー機にも適用可能である。
【００１３】
操作表示部１０は、情報を表示する液晶ディスプレーなどの表示部と、ユーザー操作を受け付けるタッチパネル及び操作ボタンなどの操作部とを備える。
【００１４】
ＡＤＦ１１は、原稿セット部、搬送ローラー、原稿押さえ、及び排紙部を備え、画像読取部１２の読み取り対象となる原稿を搬送する自動原稿搬送装置である。
【００１５】
画像読取部１２は、原稿台、光源、ミラー、光学レンズ、及びＣＣＤ（Charge Coupled Device）を備え、原稿の画像を読み取って画像データとして出力することが可能である。
【００１６】
画像形成部１３は、電子写真方式又はインクジェット方式で画像データに基づく印刷処理を実行することが可能であり、前記画像データに基づいてシート上に画像を形成する。例えば、画像形成部１３が電子写真方式の画像形成部である場合、画像形成部１３は感光体ドラム、帯電器、露光装置、現像装置、転写装置、及び定着装置などを備える。
【００１７】
通信Ｉ／Ｆ１４は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１８】
記憶部１５は、ハードディスク又はＥＥＰＲＯＭ（登録商標）などの不揮発性の記憶部である。記憶部１５には、制御部１６によって実行される各種の制御プログラム、及び各種のデータなどが記憶される。記憶部１５には、例えば、地図データＤ１（図２）、地点情報Ｄ２（図３）、住所情報Ｄ３（図４）などが記憶される。
【００１９】
地図データＤ１には、図２に示されるように、詳細な地図を示す画像データが含まれている。地点情報Ｄ２には、図３に示されるように、予め定められた地点ごとに、地点名及び座標が登録されている。前記座標は、後述の第２地図Ｍ２における前記地点の座標である。住所情報Ｄ３には、図４に示されるように、予め定められた住所ごとに、第２地図Ｍ２における前記住所に対応する地点の座標が登録されている。
【００２０】
制御部１６は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２１】
ところで、手書地図又は簡略地図のような地図には必要最小限の情報（例えば、地名、施設、道路などの情報）しか記されていないことが多い。そのため、前記地図を見ているユーザーは、前記地図上では省略されている情報を知りたいことがある。このような場合に、既存の地図提供システムを利用して、前記地図（元の地図）に対応する新たな地図を前記サーバーから取得することが考えられる。しかしながら、前記地図提供システムを利用して前記サーバーから取得される新たな地図の縮尺及び向きは、元の地図の縮尺及び向きとは無関係であるため、元の地図と新たな地図との対応関係が分かりにくくなることがある。これに対して、本実施形態に係る画像形成装置１では、以下に説明するように、元の地図に対応する新たな地図を取得して、元の地図の縮尺及び向きと同じ縮尺及び向きで前記新たな地図を提示することが可能である。
【００２２】
具体的に、制御部１６は、第１取得処理部１６１、抽出処理部１６２、第２取得処理部１６３、画像処理部１６４、及び提示処理部１６５を含む。なお、制御部１６は、前記制御プログラムに従って各種の処理を実行することによりこれらの各処理部として機能する。また、制御部１６は、これらの各処理部の一部又は複数の処理機能を実現する電子回路を備えるものであってもよい。
【００２３】
第１取得処理部１６１は、第１地図Ｍ１を含む第１画像データを取得する。第１地図Ｍ１は、例えば、手書地図又は簡略地図である。第１取得処理部１６１は、画像読取部１２を通じて前記第１画像データを取得する。具体的に、第１地図Ｍ１を含む原稿が前記原稿台又は前記原稿セット部にセットされた状態でユーザーによって所定操作が行われると、画像読取部１２により前記原稿の画像が読み取られる。そして、画像読取部１２から前記第１画像データが出力される。以下では、第１取得処理部１６１によって画像読取部１２を通じて取得される前記第１画像データを、入力画像データＤ４と称する。図６は、入力画像データＤ４の一例を示している。図６に示される入力画像データＤ４には、地図領域Ａ１が含まれており、前記地図領域Ａ１には第１地図Ｍ１が表示されている。入力画像データＤ４は、前記ＲＡＭに一時的に記憶される。
【００２４】
抽出処理部１６２は、入力画像データＤ４に含まれる第１地図Ｍ１から地点を示す地点文字列を抽出する。抽出処理部１６２は、例えば、公知の文字認識処理によって第１地図Ｍ１から前記地点文字列を抽出する。前記地点文字列は、例えば、学校、病院、公園、ビルなどの施設の名称を示す文字列、交差点の名称を示す文字列などである。例えば、抽出処理部１６２は、図６に示される入力画像データＤ４に含まれる第１地図Ｍ１から、「○○病院」、「○○学校」、及び「△△駅」の３つの文字列を、前記地点文字列として抽出する。
【００２５】
第２取得処理部１６３は、第１地図Ｍ１の範囲を少なくとも含む範囲の第２地図Ｍ２を示す第２画像データを地図データＤ１から取得する。第２地図Ｍ２は、例えば、第１地図Ｍ１よりも詳細な詳細地図である。
【００２６】
具体的に、第２取得処理部１６３は、地点情報Ｄ２に基づいて、抽出処理部１６２により抽出される前記地点文字列に対応する地点を含む範囲の第２地図Ｍ２を示す前記第２画像データを取得する。例えば、抽出処理部１６２によって「○○病院」、「○○学校」、及び「△△駅」の３つの地点文字列が抽出された場合、第２取得処理部１６３は、「○○病院」の座標（Ｘ６ｂ，Ｙ６ｂ）が示す地点と、「○○学校」の座標（Ｘ２ｂ，Ｙ２ｂ）が示す地点と、「△△駅」の座標（Ｘ４ｂ，Ｙ４ｂ）が示す地点とを全て含む範囲の第２地図Ｍ２を示す前記第２画像データを取得する。
【００２７】
なお、第２取得処理部１６３は、前記地点文字列が自宅を示す文字列（例えば、「自宅」など）である場合に、予め設定された自宅住所に基づいて、自宅を含む範囲の第２地図Ｍ２を示す前記第２画像データを取得してもよい。この場合、第２取得処理部１６３は、例えば、記憶部１５から前記自宅住所を読み出して、前記自宅住所に対応する座標を住所情報Ｄ３から取得して、前記座標が示す地点を含む範囲の第２地図Ｍ２を示す前記第２画像データを取得する。なお、他の実施形態では、前記自宅住所が、入力画像データＤ４における地図領域Ａ１以外の領域（例えば、自宅の住所が記入された住所欄など）から文字認識処理によって抽出されてもよい。
【００２８】
画像処理部１６４は、第２取得処理部１６３によって取得される前記第２画像データにおける第２地図Ｍ２の縮尺及び向きを第１地図Ｍ１と同じ縮尺及び向きに変更可能である。
【００２９】
例えば、画像処理部１６４は、第１地図Ｍ１に示されている少なくとも２つの地点に関する第１地図Ｍ１における座標及び第２地図Ｍ２における座標に基づいて、前記第２画像データにおける第２地図Ｍ２の縮尺及び向きを第１地図Ｍ１と同じ縮尺及び向きに変更する。なお、前記２つの地点に関する第１地図Ｍ１における座標については、例えば、抽出処理部１６２によって前記２つの地点に対応する前記地点文字列が抽出された時点で、前記地点文字列と対応付けて記憶部１５又は前記ＲＡＭに記憶されてもよい。
【００３０】
具体的に、画像処理部１６４は、第２地図Ｍ２における前記２つの地点のうちの一方の第１地点に対する他方の第２地点の相対位置が、第１地図Ｍ１における前記第１地点に対する前記第２地点の相対位置と一致するように、前記第２画像データにおける第２地図Ｍ２の縮尺及び向きを変更する。例えば、画像処理部１６４は、図７に示されるように、第２地図Ｍ２における「△△駅」に対する「○○病院」の相対位置が、第１地図Ｍ１における「△△駅」に対する「○○病院」の相対位置と一致するように、前記第２画像データにおける第２地図Ｍ２の縮尺及び向きを変更する。具体的に、画像処理部１６４は、第２地図Ｍ２における「△△駅」と「○○病院」との間の距離が、第１地図Ｍ１における「△△駅」と「○○病院」との間の距離と一致するように、前記第２画像データにおける第２地図Ｍ２を拡大又は縮小させる。さらに、画像処理部１６４は、第２地図Ｍ２における「△△駅」から見た「○○病院」の方向が、第１地図Ｍ１における「△△駅」から見た「○○病院」の方向と一致するように、前記第２画像データにおける第２地図Ｍ２を回転させる。なお、このような画像の拡大／縮小処理及び回転処理については公知であるため、ここでは詳細な説明は省略する。
【００３１】
なお、画像処理部１６４は、第１地図Ｍ１に示されている３つ以上の地点（例えば、図７に示される「○○病院」、「○○学校」、及び「△△駅」）のうちの距離が最も離れた２つの地点（すなわち、「○○病院」と「△△駅」の組み合わせ）に関する第１地図Ｍ１における座標及び第２地図Ｍ２における座標に基づいて、前記第２画像データにおける第２地図Ｍ２の縮尺及び向きを第１地図Ｍ１と同じ縮尺及び向きに変更してもよい。これにより、距離が近い２つの地点（すなわち、「○○病院」と「○○学校」の組み合わせ、もしくは「○○学校」と「△△駅」の組み合わせ）に基づいて変更する場合に比べて、より高精度に変更することができる。
【００３２】
なお、画像処理部１６４は、前記２つの地点のうちの一方の地点が自宅である場合に、予め設定された自宅住所に基づいて第２地図Ｍ２における自宅の座標を取得してもよい。例えば、画像処理部１６４は、記憶部１５から前記自宅住所を読み出して、前記自宅住所に対応する座標（すなわち、第２地図Ｍ２における自宅の座標）を住所情報Ｄ３から取得してもよい。なお、他の実施形態では、前記自宅住所が、入力画像データＤ４における地図領域Ａ１以外の領域（例えば、自宅の住所を記入する住所記入欄）から文字認識処理によって抽出されてもよい。
【００３３】
また、画像処理部１６４は、第１地図Ｍ１に示されている地点に対応する前記第２画像データにおける第２地図Ｍ２上の地点に対して強調処理を行ってもよい。例えば、図８に示される第２地図Ｍ２では、第１地図Ｍ１に示されている「○○病院」、「○○学校」、及び「△△駅」の３つの地点（施設）に対応する地点（施設）の名称が楕円で囲まれて、他の地点よりも強調されている。これにより、第１地図Ｍ１と第２地図Ｍ２との対応関係がユーザーにとってより分かり易くなる。
【００３４】
提示処理部１６５は、画像処理部１６４により縮尺及び向きが変更された後の第２地図Ｍ２を提示する。例えば、提示処理部１６５は、第１地図Ｍ１の範囲と同じ範囲の第２地図Ｍ２を提示する。この場合、提示処理部１６５は、例えば、第１地図Ｍ１に示されるいずれか１つの地点（例えば、「○○学校」）に対する地図領域Ａ１の各頂点の相対座標を算出する。そして、提示処理部１６５は、算出された各頂点の相対座標に基づいて、第２地図Ｍ２における前記地点の位置を基準として、第２地図Ｍ２の提示範囲を決定する。
【００３５】
なお、本実施形態では、画像処理部１６４は、入力画像データＤ４に含まれる第１地図Ｍ１を、縮尺及び向きが変更された後の第２地図Ｍ２に置き換える。そして、提示処理部１６５は、第１地図Ｍ１が第２地図Ｍ２に置き換えられた後の入力画像データＤ４に基づいて、画像形成部１３に画像形成処理を実行させる。なお、以下では、第１地図Ｍ１が第２地図Ｍ２に置き換えられた後の入力画像データＤ４を、出力画像データＤ５と称する。この結果、画像形成装置１からは、出力画像データＤ５に基づく画像が形成されたシートが排出される。これにより、ユーザーは、第１地図Ｍ１を含む原稿から、第１地図Ｍ１が第２地図Ｍ２に置き換えられた状態の前記原稿のコピーを簡単に得ることができる。よって、ユーザーは、前記コピーを見ることで、原稿に含まれている地図以外の情報（例えば、「△△駅から当院までは徒歩で１０分ほどです。」という文章など）に加えて、前記地図上では省略されている情報も知ることができる。さらに、前記コピーにおける第２地図Ｍ２の縮尺及び向きが、原稿における第１地図Ｍ１と同じ縮尺及び向きになっているので、第１地図Ｍ１と第２地図Ｍ２との対応関係がユーザーにとって分かり易い。
【００３６】
なお、他の実施形態では、提示処理部１６５は、前記第２画像データに基づいて、画像形成部１３に画像形成処理を実行させてもよい。この場合、画像形成装置１からは、第２地図Ｍ２の画像のみが形成されたシートがシートが排出される。
【００３７】
［地図提示処理］
次に、図５を参照しつつ、制御部１６によって実行される地図提示処理の手順の一例について説明する。ここで、ステップＳ１，Ｓ２，・・・は、制御部１６により実行される処理手順（ステップ）の番号を表している。なお、前記地図提示処理は、例えば、操作表示部１０に対する特定操作（例えば、前記地図提示処理を開始させるための特定の操作キーの操作）に応じて開始される。
【００３８】
＜ステップＳ１＞
まず、ステップＳ１において、制御部１６は、画像読取部１２を制御して、前記原稿台又は前記原稿セット部にセットされた原稿の画像を画像読取部１２に読み取らせる。当該ステップＳ１の処理は、制御部１６の第１取得処理部１６１によって実行される。当該ステップＳ１は、本発明の第１取得ステップの一例である。
【００３９】
＜ステップＳ２＞
ステップＳ２において、制御部１６は、前記ステップＳ１で読み取られた原稿の画像データ（入力画像データＤ４）における地図領域Ａ１を判定する。例えば、制御部１６は、枠線で囲まれた所定サイズ以上の矩形領域のうち、その内側に所定長以上の直線又は曲線が含まれている矩形領域を、地図領域Ａ１として判定してもよい。もしくは、制御部１６は、入力画像データＤ４を操作表示部１０に表示し、操作表示部１０に対するユーザー操作（領域指定操作）に基づいて地図領域Ａ１を判定してもよい。
【００４０】
＜ステップＳ３＞
ステップＳ３において、制御部１６は、前記ステップＳ２で判定された地図領域Ａ１（すなわち、第１地図Ｍ１）から地点を示す前記地点文字列を抽出する。当該ステップＳ３の処理は、制御部１６の抽出処理部１６２によって実行される。
【００４１】
＜ステップＳ４＞
ステップＳ４において、制御部１６は、前記ステップＳ３で抽出された前記地点文字列に基づいて、地図データＤ１から取得すべき第２地図Ｍ２の範囲を判定する。当該ステップＳ３の処理は、制御部１６の第２取得処理部１６３によって実行される。
【００４２】
＜ステップＳ５＞
ステップＳ５において、制御部１６は、前記ステップＳ４で判定された範囲の第２地図Ｍ２を示す第２画像データを地図データＤ１から取得する。当該ステップＳ５の処理は、制御部１６の第２取得処理部１６３によって実行される。当該ステップＳ５は、本発明の第２取得ステップの一例である。
【００４３】
＜ステップＳ６＞
ステップＳ６において、制御部１６は、前記ステップＳ５で取得された前記第２画像データにおける第２地図Ｍ２の縮尺及び向きを、入力画像データＤ４に含まれる第１地図Ｍ１と同じ縮尺及び向きに変更する。当該ステップＳ６の処理は、制御部１６の画像処理部１６４によって実行される。当該ステップＳ６は、本発明の画像処理ステップの一例である。
【００４４】
＜ステップＳ７＞
ステップＳ７において、制御部１６は、入力画像データＤ４に含まれる第１地図Ｍ１に示されている地点に対応する前記第２画像データにおける第２地図Ｍ２上の地点に対して強調処理を行う。当該ステップＳ７の処理は、制御部１６の画像処理部１６４によって実行される。
【００４５】
＜ステップＳ８＞
ステップＳ８において、制御部１６は、入力画像データＤ４に含まれる第１地図Ｍ１を、縮尺及び向きが変更された後の第２地図Ｍ２に置き換える（図８参照）。当該ステップＳ８の処理は、制御部１６の画像処理部１６４によって実行される。
【００４６】
＜ステップＳ９＞
ステップＳ９において、制御部１６は、第１地図Ｍ１が第２地図Ｍ２に置き換えられた後の入力画像データＤ４（すなわち、出力画像データＤ５）に基づいて、画像形成部１３に画像形成処理を実行させる。そして、前記地図提示処理が終了する。当該ステップＳ９の処理は、制御部１６の提示処理部１６５によって実行される。当該ステップＳ９は、本発明の提示ステップの一例である。
【００４７】
以上のように、本実施形態に係る画像形成装置１によれば、第１地図Ｍ１を含む原稿に基づいて、第１地図Ｍ１が第２地図Ｍ２に置き換えられた状態の前記原稿のコピーが生成されて出力される。よって、ユーザーは、前記コピーを見ることで、原稿に含まれている地図以外の情報に加えて、前記地図上では省略されている情報も知ることができる。さらに、前記コピーにおける第２地図Ｍ２の縮尺及び向きが、原稿における第１地図Ｍ１と同じ縮尺及び向きになっているので、第１地図Ｍ１と第２地図Ｍ２との対応関係がユーザーにとって分かり易い。
【００４８】
［変形例］
なお、本実施形態では、図８に示される第２地図Ｍ２のように、第２地図Ｍ２の向きの変更に伴って第２地図Ｍ２に含まれる文字列の向きも変更される。しかしながら、他の実施形態では、図９に示される第２地図Ｍ２のように、第２地図Ｍ２の向きが変更されたとしても第２地図Ｍ２に含まれる文字列の向きが変更されないようにしてもよい。例えば、地図データＤ１が、道路、地形などを示す画像データと、施設、交差点などの名称を示すテキストデータとを含んでいて、前記画像データに前記テキストデータを重畳表示することによって地図が表示されてもよい。この場合、画像処理部１６４は、前記画像データに対して前記拡大／縮小処理及び前記回転処理を施した後に、当該処理後の画像データに前記テキストデータを合成してもよい。
【００４９】
また、本実施形態では、第１地図Ｍ１に示されている２つの地点に関する第１地図Ｍ１における座標及び第２地図Ｍ２における座標に基づいて、前記第２画像データにおける第２地図Ｍ２の縮尺及び向きが第１地図Ｍ１と同じ縮尺及び向きに変更される。しかしながら、本発明はこれに限定されない。他の実施形態では、画像処理部１６４は、入力画像データＤ４に含まれる方位記号の向きに基づいて、前記第２画像データにおける第２地図Ｍ２の向きを変更してもよい。さらに他の実施形態では、画像処理部１６４は、入力画像データＤ４に含まれる縮尺表示に基づいて、前記第２画像データにおける第２地図Ｍ２の縮尺を変更してもよい。
【００５０】
また、本実施形態では、図５に示される全てのステップが画像形成装置１において実行されるが、他の実施形態では、図５に示される一部のステップが、外部の情報処理装置（例えば、インターネット又はＬＡＮのようなネットワーク上のサーバー）において実行されてもよい。また、地図データＤ１、地点情報Ｄ２、住所情報Ｄ３の一部又は全部が、前記情報処理装置に記憶されていてもよい。例えば、前記ステップＳ３で抽出された前記地点文字列が画像形成装置１から前記情報処理装置に送信されてもよい。そして、前記情報処理装置において、地図データＤ１から取得すべき第２地図Ｍ２の範囲が前記地点文字列に基づいて判定されてもよい。そして、前記情報処理装置から画像形成装置１に第２地図Ｍ２を示す前記第２画像データが送信されてもよい。すなわち、第２取得処理部１６３は、前記情報処理装置から第２地図Ｍ２を示す前記第２画像データを取得してもよい。
【００５１】
また、本発明は、画像形成装置１に限らず、少なくとも撮像部と表示部とを有するスマートフォンのような携帯端末にも適用可能である。すなわち、前記携帯端末も、本発明の地図提示装置の一例である。この場合、第１取得処理部１６１は、画像読取部１２を通じて入力画像データＤ４を取得する代わりに、前記撮像部を通じて入力画像データＤ４を取得する。そして、提示処理部１６５は、出力画像データＤ５に基づいて画像形成部１３に画像形成処理を実行させる代わりに、第２地図Ｍ２の縮尺及び向きが変更された後の前記第２画像データに基づいて、第２地図Ｍ２を前記表示部に表示させる。例えば、提示処理部１６５は、出力画像データＤ５に応じた画像を前記表示部に表示させる。もしくは、提示処理部１６５は、縮尺及び向きが変更された後の第２地図Ｍ２の画像のみを前記表示部に表示させてもよい。
【符号の説明】
【００５２】
１  画像形成装置
１２  画像読取部
１３  画像形成部
１６  制御部
１６１  第１取得処理部
１６２  抽出処理部
１６３  第２取得処理部
１６４  画像処理部
１６５  提示処理部
Ｍ１  第１地図
Ｍ２  第２地図
【図１】
2019045603.tif 000003
【図２】
2019045603.tif 000004
【図３】
2019045603.tif 000005
【図４】
2019045603.tif 000006
【図５】
2019045603.tif 000007
【図６】
2019045603.tif 000008
【図７】
2019045603.tif 000009
【図８】
2019045603.tif 000010
【図９】
2019045603.tif 000011